(57)【要約】【課題】炊飯器本体内に鍋を着脱自在に支持する炊飯器において、炊飯器本体の本体上面部材を衛生的で、手入れしやすくし、さらに、商品に清潔感や高級感をもたせ、商品性を高めるとともに、炊飯器本体の構成を簡素化し、本体上面部材の樹脂部にクラックを発生するのを防止する。【解決手段】炊飯器本体１に鍋５を着脱自在に支持する本体上面部材３を設け、本体上面部材３は上面に平坦部１５を有し、本体上面部材３の上面にフィルム部材１０を配設する。【選択図】図１
2005124872.tif 000002
【特許請求の範囲】
【請求項１】
炊飯器本体と、この炊飯器本体に設け鍋を着脱自在に支持する本体上面部材とを備え、前記本体上面部材は上面に平坦部を有し、前記本体上面部材の上面にフィルム部材を配設した炊飯器。
【請求項２】
フィルム部材は、本体上面部材の平坦部の内周部と外周部とで固定した請求項１記載の炊飯器。
【請求項３】
フィルム部材は、本体上面部材の平坦部の内周部と外周部とで一体成形した請求項１記載の炊飯器。
【請求項４】
フィルム部材の内周部の端部と外周部の端部に折り曲げ部を設けた請求項３記載の炊飯器。
【請求項５】
フィルム部材は、伸縮可能である請求項１〜３のいずれか１項に記載の炊飯器。
【請求項６】
本体上面部材とフィルム部材は同材料である請求項１〜３のいずれか１項に記載の炊飯器。
【発明の詳細な説明】
【技術分野】
【０００１】
本発明は、炊飯器本体内に鍋を着脱自在に支持する炊飯器に関するものである。
【背景技術】
【０００２】
従来、この種の炊飯器は図４に示すように構成していた。以下、その構成について説明する。
【０００３】
図４に示すように、炊飯器本体４１は有底筒形状の鍋収納部４２を有しており、本体上面部材４３が鍋収納部４２の上端部からつらなっている。本体上面部材４３の外周は、外周側面部４４に支持されている。また、鍋４５は炊飯器本体４１の鍋収納部４２に上方より着脱自在に収納し、鍋４５の外周フランジ部４６は炊飯器本体４１の鍋収納部４２に収納したとき、本体上面部材４３の上方に位置している。
【０００４】
蓋４７は鍋４５の上方を開閉自在に覆うもので、本体上面部材４３の上方に位置している。また、本体上面部材４３には、鍋４５の外周フランジ部４６に対向する立ち上がり環状リング部４８と蓋４７を軸支する後方ヒンジ立ち上がり壁４９とを有しており、環状リング４８を含む本体上面部材４３に第１のカバー５０を載置している。また、後方ヒンジ立ち上がり壁には、第２のカバー５１を載置している。
【０００５】
ここで、第１のカバー５０のの外周部には、図５（ａ）に示すように、数箇所の固定用のつめ５２を配設し、本体上面部材４３には、図５（ｂ）に示すように、第１のカバー５０のつめ５２を挿入する穴５３を配設し、第１のカバー５０のつめ５２を穴５３に挿入して折り曲げ、第１のカバー５０を本体上面部材４３に固定している（例えば、特許文献１参照）。
【特許文献１】特開２００２−２７２５９７号公報
【発明の開示】
【発明が解決しようとする課題】
【０００６】
しかしながら、このような従来の構成の炊飯器では、炊飯・保温中に内蓋に発生した露が蓋４７を開けたとき、鍋収納部４２の本体上面部材４３に滴下し、第１のカバー５０と本体上面部材４３の間に水が溜まり、日々の清掃を怠ると、その水が原因で雑菌が繁殖したり、かびが発生し、異臭の原因にもなり、不衛生であった。
【０００７】
また、本体上面部材４３に穴５３があいているため、第１のカバー５０と本体上面部材４３との隙間に水が浸入すると、炊飯器本体４１の内部に水が浸入する恐れがあり、従来構成では、第１のカバー５０と本体上面部材４３の間にシール部材を配設されていたので、構成が複雑であった。
【０００８】
本発明は上記従来の課題を解決するもので、炊飯器本体の本体上面部材を衛生的で、手入れしやすくし、さらに、商品に清潔感や高級感をもたせ、商品性を高めるとともに、炊飯器本体の構成を簡素化し、本体上面部材の樹脂部にクラックを発生するのを防止することを目的としている。
【課題を解決するための手段】
【０００９】
本発明は上記目的を達成するために、炊飯器本体に鍋を着脱自在に支持する本体上面部材を設け、本体上面部材は上面に平坦部を有し、本体上面部材の上面にフィルム部材を配設したものである。
【００１０】
これにより、炊飯器本体の本体上面部材を衛生的で、手入れしやすくすることができ、さらに、商品に清潔感や高級感をもたせ、商品性を高めるとともに、炊飯器本体の構成を簡素化でき、本体上面部材の樹脂部にクラックが発生するのを防止することができる。
【発明の効果】
【００１１】
本発明の炊飯器は、炊飯器本体の本体上面部材を衛生的で、手入れしやすくすることができ、さらは、商品に清潔感や高級感をもたせ、商品性を高めるとともに、炊飯器本体の構成を簡素化でき、本体上面部材の樹脂部にクラックが発生するのを防止することができる。
【発明を実施するための最良の形態】
【００１２】
第１の発明は、炊飯器本体と、この炊飯器本体に設け鍋を着脱自在に支持する本体上面部材とを備え、前記本体上面部材は上面に平坦部を有し、前記本体上面部材の上面にフィルム部材を配設したものであり、炊飯および保温で発生した露などが、本体上面部材にこびりつくことなく、ふきん等で簡単に拭き取ることができるので、衛生的で、手入れ性を向上することができるとともに、本体上面部材を簡素化させることができる。また、炊飯器本体の本体上面部材の上面には、フィルム部材を配設しているため、炊飯中に、本体上面部材が熱変形しても、表面部がフィルムであるため、応力集中が発生する部分がなく、炊飯器本体の本体上面部材のクラックおよび亀裂を未然に防止することができる。
【００１３】
第２の発明は、上記第１の発明において、フィルム部材は、本体上面部材の平坦部の内周部と外周部とで固定したものであり、炊飯中に、本体上面部材が熱変形しても、表面部がフィルムであるため、応力集中が発生する部分がなく、炊飯器本体の本体上面部材のクラックおよび亀裂を未然に防止することができる。
【００１４】
第３の発明は、上記第１の発明において、フィルム部材は、本体上面部材の平坦部の内周部と外周部とで一体成形したものであり、本体上面部材の平坦部の内周部と外周部の構成を簡素化でき、本体上面部材の樹脂部とフィルム部材の間には隙間がないため、ごみやほこりが溜まることがないため、本体上面部材を衛生に保つことができる。
【００１５】
第４の発明は、上記第３の発明において、フィルム部材の内周部の端部と外周部の端部に折り曲げ部を設けたものであり、炊飯・保温の繰り返しで、炊飯器本体の本体上面部材が熱収縮をしたとしても、フィルム部材の折り曲げ部が本体上面部材と一体成形されているため、フィルム部材が本体上面部材から浮きでるのを防止することができる。
【００１６】
第５の発明は、上記第１〜３のいずれか１つの発明において、フィルム部材は、伸縮可能であるものであり、炊飯器本体の本体上面部材とフィルム部材の材質が違い線膨張係数の差があり、熱収縮の差があったとしても、炊飯中において本体上面部材の樹脂部が収縮しても、フィルム部材が同じように収縮するため、本体上面部材の樹脂部に応力集中が発生しないため、クラックや亀裂を未然に防止することができる。
【００１７】
第６の発明は、上記第１〜３のいずれか１つの発明において、本体上面部材とフィルム部材は同材料であるものであり、２つの部材の線膨張係数が同じであるため、炊飯・保温中における熱収縮は同じ変化をするため、本体上面部材の樹脂部に応力集中が発生しないため、クラックや亀裂を未然に防止することができる。
【００１８】
以下、本発明の実施の形態について、図面を参照しながら説明する。なお、この実施の形態によって本発明が限定されるものではない。
【００１９】
（実施の形態１）
図１に示すように、炊飯器本体１は、有底筒形状の鍋収納部２を有しており、炊飯器本体１の本体上面部材３と鍋収納部２はねじ等により機械的に固定している。炊飯器本体１の本体上面部材３の外周は、外周側面部材４に支持されている。また、鍋５は炊飯器本体１の鍋収納部２に上方より着脱自在に収納し、鍋５の外周フランジ部６は炊飯器本体１の鍋収納部２に収納したときに炊飯器本体１の本体上面部材３の上方に位置している。
【００２０】
外蓋７は、鍋５の上方に開閉自在に配設し、炊飯器本体１の本体上面部材３の上方に位置している。また、本体上面部材３には、鍋５の外周フランジ部６に対向する立ち上がり環状リング８と外蓋７を軸支する後方ヒンジ立ち上がり壁９とを有しており、環状リング８を含む本体上面部材３にフィルム部材１０を配設している。
【００２１】
また、本体上面部材３は上面に平坦部１５を有し、フィルム部材１０の内周部の端部１１は、本体上面部材３の平坦部１５の内周部１２でねじ、溶着などで固定し、また、フィルム部材１０の外周部の端部１３は、本体上面部材３の平坦部１５の外周部１４でねじ、溶着などで固定している。ここで、フィルム部材１０は、軟性のある物性値を有する部材で構成し、伸縮可能している。
【００２２】
鍋５は、底コイル１６により電磁誘導されて鍋５を加熱し、炊飯および保温調理を行なっている。制御基板１７は炊飯器の加熱動作を制御するもので、鍋収納部２の底部に配設している底センサ１８により、炊飯および保温時における鍋５の温度を検知し、制御基板１７へ信号を送り、最適な炊飯および保温を行なっている。
【００２３】
また、外蓋７には、炊飯中に発生する蒸気を排出する蒸気穴１９を有する内蓋２０を配設するとともに、炊飯中の蒸気が外部へ流出するための筒形状の蒸気口２１を配設し、蒸気口２１と内蓋１９は、蒸気口パッキン２２により蒸気が外蓋７の内部に流入しないようにシールしている。また、内蓋２０の外周部には、鍋５の外周フランジ部６と当接する内蓋パッキン２３を配設しており、炊飯および保温中に発生する蒸気が蒸気口２１以外から外部への蒸気漏れを防止している。
【００２４】
上記構成において動作、作用を説明する。炊飯および保温中に鍋５内で発生した蒸気は内蓋２０に付着し、この蒸気が冷やされて露になる。この露の付着を減らすために、外蓋７の内部に配設した蓋コイル２４で内蓋２０を電磁誘導加熱をする。このとき、過度の加熱はご飯の表面を乾燥させたり黄変させたりするので、蓋コイル２４による電磁誘導加熱には限界があり、若干の露が内蓋２０に残る。また、内蓋パッキン２３は、内蓋２０により加熱されないため、露が付着しやすい。
【００２５】
このような状態で外蓋７を開くと、内蓋２０や内蓋パッキン２３に付着した露は下方に垂れて、炊飯器本体１の本体上面部材３に滴下し、汚れの原因となる。
【００２６】
また、炊飯器本体１の本体上面部材３には、ご飯粒が落下して付着したり、炊飯器は、台所の周辺に設置されることが多く、油を使った調理による発生する油煙にもさらされるので油煙が付着したりする。また、本体上面部材３の環状リング部８は、鍋５の外周フランジ部６より輻射熱を受け、本体上面部材３の温度が炊飯中で６０〜７０℃、保温中では５０〜６０℃になり、雑菌が繁殖しやすい温度になる。そこで、本体上面部材３に付着した露やご飯粒などは暖められ、雑菌が繁殖しやすく、かびやかび臭あるいは腐敗臭などが発生する可能性がある。
【００２７】
しかしながら、本実施の形態では、環状リング８を含む本体上面部材３には、フィルム部材１０を配設しており、内蓋２０および内蓋パッキン２３に付着した露やご飯粒が溜まったとしても、フィルム部材１０の表面がざらざらしていない材料、例えば、フッ素フィルムのような部材であれば、露やご飯粒がこびりつきにくく、ふきん等で簡単に拭き取ることができ、本体上面部材３を清潔に保つことができる。
【００２８】
また、炊飯中においては、本体上面部材３およびフィルム部材１０の温度は６０〜７０℃に達するため、本体上面部材３の平坦部１５の内周部１２と外周部１４は、炊飯器本体１の中心方向に収縮してくる。ここで、もしフィルム部材１０が剛性のもった材質であれば、本体上面部材３とフィルム部材１０の線膨張係数の差により、炊飯中にて本体上面部材３に応力集中が発生し、本体上面部材３の樹脂部にクラックや亀裂が発生する可能性がある。
【００２９】
しかしながら、フィルム部材１０は軟性のある物性値を有する部材で構成し、伸縮可能しているため、本体上面部材３の内周部１２と外周部１４の間に応力集中が発生することがなく、本体上面部材３のクラックや亀裂などを抑えることができる。
【００３０】
以上のように、本実施の形態においては、炊飯器本体１に鍋５を着脱自在に支持する本体上面部材３を設け、本体上面部材３は上面に平坦部１５を有し、本体上面部材３の上面にフィルム部材１０を配設したので、炊飯器本体１の本体上面部材３を衛生的で、手入れしやすくすることができ、さらに、商品に清潔感や高級感をもたせ、商品性を高めるとともに、炊飯器本体１の構成を簡素化でき、本体上面部材３の樹脂部にクラックが発生するのを防止することができる。
【００３１】
また、フィルム部材１０は、本体上面部材３の平坦部１５の内周部１２と外周部１４とで固定したので、炊飯中に、本体上面部材３が熱変形しても、表面部がフィルムであるため、応力集中が発生する部分がなく、炊飯器本体１の本体上面部材３のクラックおよび亀裂を未然に防止することができる。
【００３２】
また、フィルム部材１０は、伸縮可能であるので、炊飯器本体１の本体上面部材３とフィルム部材１０の材質が違い線膨張係数の差があり、熱収縮の差があったとしても、炊飯中において本体上面部材３の樹脂部が収縮しても、フィルム部材１０が同じように収縮するため、本体上面部材３の樹脂部に応力集中が発生しないため、クラックや亀裂を未然に防止することができる。
【００３３】
（実施の形態２）
図２に示すように、本体上面部材２５は、炊飯器本体１に設け、鍋５を着脱自在に支持するもので、樹脂部材で構成して上面に平坦部２６を有し、環状リング（図示せず）を含む本体上面部材３の上面ににフィルム部材２７を配設している。フィルム部材２７は軟性のある物性値を有する部材で構成し、フィルム部材２７の内周部２８は、本体上面部材２５の平坦部２６の内周部２９の位置で一体成形し、フィルム部材２７の外周部３０は本体上面部材２５の平坦部２６の外周部３１の位置で一体成形している。他の構成は上記実施の形態１と同じである。
【００３４】
上記構成において動作、作用を説明する。炊飯および保温中に、本体上面部材２５が炊飯器本体１の中心方向に収縮したとしても、フィルム部材２７を軟性の物性値を有する部材で構成しているので、本体上面部材２５の平坦部２６の内周部２９および外周部３１は樹脂部材に応力集中が発生しないため、クラックや亀裂などの歯発生を未然に防止することができる。
【００３５】
また、本体上面部材２５の内周部２９の樹脂部とフィルム部材２７の内周部の合わせ面３２と、本体上面部材２５の平坦部２６の外周部３１の樹脂部とフィルム部材２７の外周部の合わせ面３３は、本体上面部材２５とフィルム部材２７を一体成形しているので、隙間がないため、合わせ面３２、３３に露やほこりが溜まることがなく、本体上面部材２５を衛生的にすることができ、また、商品に高級感を持たせることができ、商品価値を向上することができる。
【００３６】
以上のように、本実施の形態においては、フィルム部材２７は、本体上面部材２５の平坦部２６の内周部２９と外周部３１とで一体成形したので、本体上面部材２５の平坦部２６の内周部２９と外周部３１の構成を簡素化でき、本体上面部材２５の樹脂部とフィルム部材２７の間には隙間がないため、ごみやほこりが溜まることがないため、本体上面部材２５を衛生に保つことができる。
【００３７】
（実施の形態３）
図３に示すように、本体上面部材２５は、炊飯器本体１に設け、鍋５を着脱自在に支持するもので、樹脂部材で構成して上面に平坦部２６を有し、環状リング（図示せず）を含む本体上面部材３の上面ににフィルム部材２７を配設している。フィルム部材２７は軟性のある物性値を有する部材で構成し、フィルム部材２７の内周部２８は、本体上面部材２５の平坦部２６の内周部２９の位置で一体成形し、フィルム部材２７の外周部３０は本体上面部材２５の平坦部２６の外周部３１の位置で一体成形している。ここで、フィルム部材２７の内周部２８と外周部３０には、折り曲げ部３４を設けている。他の構成は上記実施の形態２と同じである。
【００３８】
上記構成において動作、作用を説明する。炊飯および保温中に、本体上面部材２５が炊飯器本体１の中心方向に収縮したとしても、折り曲げ部３４により、フィルム部材２７が本体上面部材２５からの浮きを防止することができる。
【００３９】
以上のように、本実施の形態においては、フィルム部材２７の内周部２８の端部と外周部３０の端部に折り曲げ部３４を設けたので、炊飯・保温の繰り返しで、炊飯器本体１の本体上面部材２５が熱収縮をしたとしても、フィルム部材２７の折り曲げ部３４が本体上面部材２５と一体成形されているため、フィルム部材２７が本体上面部材２５から浮きでるのを防止することができる。
【００４０】
また、フィルム部材１０を伸縮性の物性値を有する部材で構成することにより、本体上面部材２５が炊飯の繰り返しで熱収縮をしたとしても、収縮の寸法分、フィルム部材２７が伸縮するので、本体上面部材２５に熱収縮による応力集中が発生せず、本体上面部材２５の経年変化におけるクラックや亀裂を未然に防止することができる。
【００４１】
また、本体上面部材２５とフィルム部材２７が同材質であれば、線膨張係数が同じであるため、炊飯の繰り返しのおける熱収縮の変化寸法が同寸法になるため、本体上面部材２５に応力集中が発生せず、上記と同様の効果を得ることができる。
【産業上の利用可能性】
【００４２】
以上のように、本発明にかかる炊飯器は、炊飯器本体の本体上面部材を衛生的で、容易にお手入れでき、商品価値を向上させることができる。また、本体上面部材の経年変化におけるクラックなどを未然に防止することができるので、炊飯器本体内に鍋を着脱自在に支持する炊飯器として有用である。
【図面の簡単な説明】
【００４３】
【図１】本発明の実施の形態１における炊飯器の縦断面図
【図２】本発明の実施の形態２における炊飯器の要部断面図
【図３】本発明の実施の形態３における炊飯器の要部断面図
【図４】従来の炊飯器の縦断面図
【図５】（ａ）同炊飯器の要部斜視図（ｂ）同炊飯器の要部断面図
【符号の説明】
【００４４】
１  炊飯器本体
３  本体上面部材
５  鍋
１０  フィルム部材
１５  平坦部
【図１】
2005124872.tif 000003
【図２】
2005124872.tif 000004
【図３】
2005124872.tif 000005
【図４】
2005124872.tif 000006
【図５】
2005124872.tif 000007